(57)【特許請求の範囲】
【請求項１】
三つのマイクロホンが設置されているモバイル端末に用いられるレコーディング方法であって、
前記三つのマイクロホンにより採取された三つのルートのサウンド信号を取得するステップと、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップと、
前記三つのルートのサウンド信号に基づき演算を通じて前記５．１チャンネルにおけるサブウーハーチャンネル信号を得るステップと、
前記センターチャンネル信号、左チャンネル信号、右チャンネル信号、リア左チャンネル信号、リア右チャンネル信号、及び前記サブウーハーチャンネル信号を組み合わせて前記５．１チャンネルのサウンド信号を得るステップと、を含み、
前記三つのマイクロホンは、前記５．１チャンネルのセンターチャンネルの方向にある第１のマイクロホン、前記５．１チャンネルのリア左チャンネルの方向にある第２のマイクロホン、及び前記５．１チャンネルのリア右チャンネルの方向にある第３のマイクロホンを含み、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップは、
前記第１のマイクロホンにより採取された第１のサウンド信号を前記センターチャンネル信号とするステップと、
前記第２のマイクロホンにより採取された第２のサウンド信号を前記リア左チャンネル信号とするステップと、
前記第３のマイクロホンにより採取された第３のサウンド信号を前記リア右チャンネル信号とするステップと、
前記第１のサウンド信号及び前記第２のサウンド信号の同時点における幅を加重平均して第４のサウンド信号を得て、前記第４のサウンド信号を前記左チャンネル信号とするステップと、
前記第１のサウンド信号及び前記第３のサウンド信号の同時点における幅を加重平均して第５のサウンド信号を得て、前記第５のサウンド信号を前記右チャンネル信号とするステップと、を含むことを特徴とするレコーディング方法。
【請求項２】
三つのマイクロホンが設置されているモバイル端末に用いられるレコーディング方法であって、
前記三つのマイクロホンにより採取された三つのルートのサウンド信号を取得するステップと、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップと、
前記三つのルートのサウンド信号に基づき演算を通じて前記５．１チャンネルにおけるサブウーハーチャンネル信号を得るステップと、
前記センターチャンネル信号、左チャンネル信号、右チャンネル信号、リア左チャンネル信号、リア右チャンネル信号、及び前記サブウーハーチャンネル信号を組み合わせて前記５．１チャンネルのサウンド信号を得るステップと、を含み、
前記三つのマイクロホンは原点に対して分散配置され、前記５．１チャンネルにおける各チャンネルは前記三つのマイクロホンのうちの二つのマイクロホンと最も近い距離を有し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップは、
前記５．１チャンネルにおける任意のチャンネルに対して、前記チャンネルに最も近い二つのマイクロホンにより採取された二つのルートのサウンド信号を取得するステップと、
前記チャンネルに対応する到達位相差に基づき、前記二つのルートのサウンド信号から前記チャンネルに対応するサウンド信号を分離するステップと、を含んでおり、
前記到達位相差は前記チャンネルからのサウンドがそれぞれ前記二つのマイクロホンに到達する際に対応する初期位相（Ｉｎｉｔｉａｌ  ｐｈａｓｅ  ａｎｇｌｅ）の差であり、前記チャンネルに対応するサウンド信号はセンターチャンネル信号、左チャンネル信号、右チャンネル信号、リア左チャンネル信号、及びリア右チャンネル信号のうちのいずれかの一つであることを特徴とするレコーディング方法。
【請求項３】
前記チャンネルに対応する到達位相差に基づき、前記二つのルートのサウンド信号から前記チャンネルに対応するサウンド信号を分離するステップは、
前記チャンネルに対応する到達位相差に基づき、前記二つのルートのサウンド信号における第１のサウンド信号をフィルタリングして第１のフィルタリングデータを得て、前記チャンネルに対応する到達位相差に基づき前記二つのルートのサウンド信号における第２のサウンド信号をフィルタリングし第２のフィルタリングデータを得るステップと、
前記第１のフィルタリングデータと前記第２のフィルタリングデータとの同一部分を前記チャンネルに対応するサウンド信号として抽出するステップと、を含むことを特徴とする請求項２に記載のレコーディング方法。
【請求項４】
前記三つのルートのサウンド信号に基づき演算を通じて前記５．１チャンネルにおけるサブウーハーチャンネル信号を得るステップは、
前記三つのルートのサウンド信号の同時点における幅を平均して平均サウンド信号を得るステップと、
前記平均サウンド信号を低域フィルタリングして前記サブウーハーチャンネル信号を得るステップと、を含むことを特徴とする請求項１〜３のいずれか１項に記載のレコーディング方法。
【請求項５】
さらに、前記三つのルートのサウンド信号に対しノイズリダクションを行うステップを含むことを特徴とする請求項１〜４のいずれか１項に記載のレコーディング方法。
【請求項６】
三つのマイクロホンを備え、
前記三つのマイクロホンにより採取された三つのルートの信号を取得するように構成される取得モジュールと、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するように構成される第１の演算モジュールと、
前記三つのルートのサウンド信号に基づき演算を通じて前記５．１チャンネルにおけるサブウーハーチャンネル信号を得るように構成される第２の演算モジュールと、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成される組合せモジュールと、を含み、
前記三つのマイクロホンは、前記５．１チャンネルのセンターチャンネルの方向にある第１のマイクロホンと、前記５．１チャンネルのリア左チャンネルの方向にある第２のマイクロホンと、前記５．１チャンネルのリア右チャンネルの方向にある第３のマイクロホンとを含んでおり、
前記第１の演算モジュールは、
前記第１のマイクロホンにより採取された第１のサウンド信号を前記センターチャンネル信号とするように構成される第１のサブモジュールと、
前記第２のマイクロホンにより採取された第２のサウンド信号を前記リア左チャンネル信号とするように構成される第２のサブモジュールと、
前記第３のマイクロホンにより採取された第３のサウンド信号を前記リア右チャンネル信号とするように構成される第３のサブモジュールと、
前記第１のサウンド信号及び前記第２のサウンド信号の同時点における幅を加重平均して第４のサウンド信号を得て、前記第４のサウンド信号を前記左チャンネル信号とするように構成される第１の平均サブモジュールと、
前記第１のサウンド信号と前記第３のサウンド信号の同時点における幅を加重平均して第５のサウンド信号を得て、前記第５のサウンド信号を前記右チャンネル信号とするように構成される第２の平均サブモジュールと、を含むことを特徴とするレコーディング装置。
【請求項７】
三つのマイクロホンを備え、
前記三つのマイクロホンにより採取された三つのルートの信号を取得するように構成される取得モジュールと、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するように構成される第１の演算モジュールと、
前記三つのルートのサウンド信号に基づき演算を通じて前記５．１チャンネルにおけるサブウーハーチャンネル信号を得るように構成される第２の演算モジュールと、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成される組合せモジュールと、を含み、
前記三つのマイクロホンは原点に対して分散配置され、前記５．１チャンネルにおける各チャンネルは前記三つのマイクロホンのうちの二つのマイクロホンと最も近い距離を有し、
前記第１の演算モジュールは、
前記５．１チャンネルにおける任意のチャンネルに対して、前記チャンネルに最も近い二つのマイクロホンにより採取された二つのルートのサウンド信号を取得するように構成される取得サブモジュールと、
前記チャンネルに対応する到達位相差に基づき、前記二つのルートのサウンド信号から前記チャンネルに対応するサウンド信号を分離するように構成される分離サブモジュールと、を含んでおり、
前記到達位相差は前記チャンネルからのサウンドがそれぞれ前記二つのマイクロホンに到達する際に対応する初期位相の差であり、前記チャンネルに対応するサウンド信号はセンターチャンネル信号、左チャンネル信号、右チャンネル信号、リア左チャンネル信号、及びリア右チャンネル信号からなる群から選ばれた任意の一つであることを特徴とするレコーディング装置。
【請求項８】
前記分離サブモジュールは、
前記チャンネルに対応する位相差に基づき第１のサウンドデータをフィルタリングして第１のフィルタリングデータを得て、前記チャンネルに対応する位相差に基づき第２のサウンドデータをフィルタリングして第２のフィルタリングデータを得るように構成されるフィルタリングサブモジュールと、
前記第１のフィルタリングデータと前記第２のフィルタリングデータとの同一部分を前記チャンネルに対応するサウンド信号として抽出するように構成される抽出サブモジュールと、を含むことを特徴とする請求項７に記載のレコーディング装置。
【請求項９】
前記第２の演算モジュールは、
前記三つのルートのサウンド信号の同時点における幅を平均して平均サウンド信号を得るように構成される平均サブモジュールと、
前記平均サウンド信号を低域フィルタリングして前記サブウーハーチャンネル信号を得るように構成される低域フィルタリングサブモジュールと、を含むことを特徴とする請求項６〜８のいずれか１項に記載のレコーディング装置。
【請求項１０】
さらに、前記三つのルートのサウンド信号に対しノイズリダクションを行うように構成されるノイズリダクションモジュールを含むことを特徴とする請求項６〜９のいずれか１項に記載のレコーディング装置。
【請求項１１】
三つのマイクロホンを備え、
プロセッサと、
プロセッサにより実行可能な指令を記憶するためのメモリと、を含み、
前記プロセッサは、
前記三つのマイクロホンにより採取された三つのルートのサウンド信号を取得し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得し、
前記三つのルートのサウンド信号に基づき演算を通じて前記５．１チャンネルにおけるサブウーハーチャンネル信号を得て、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成され、
前記三つのマイクロホンは、前記５．１チャンネルのセンターチャンネルの方向にある第１のマイクロホン、前記５．１チャンネルのリア左チャンネルの方向にある第２のマイクロホン、及び前記５．１チャンネルのリア右チャンネルの方向にある第３のマイクロホンを含み、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得することは、
前記第１のマイクロホンにより採取された第１のサウンド信号を前記センターチャンネル信号とすることと、
前記第２のマイクロホンにより採取された第２のサウンド信号を前記リア左チャンネル信号とすることと、
前記第３のマイクロホンにより採取された第３のサウンド信号を前記リア右チャンネル信号とすることと、
前記第１のサウンド信号及び前記第２のサウンド信号の同時点における幅を加重平均して第４のサウンド信号を得て、前記第４のサウンド信号を前記左チャンネル信号とすることと、
前記第１のサウンド信号及び前記第３のサウンド信号の同時点における幅を加重平均して第５のサウンド信号を得て、前記第５のサウンド信号を前記右チャンネル信号とすることと、を含むことを特徴とするレコーディング装置。
【請求項１２】
三つのマイクロホンを備え、
プロセッサと、
プロセッサにより実行可能な指令を記憶するためのメモリと、を含み、
前記プロセッサは、
前記三つのマイクロホンにより採取された三つのルートのサウンド信号を取得し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得し、
前記三つのルートのサウンド信号に基づき演算を通じて前記５．１チャンネルにおけるサブウーハーチャンネル信号を得て、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成され、
前記三つのマイクロホンは原点に対して分散配置され、前記５．１チャンネルにおける各チャンネルは前記三つのマイクロホンのうちの二つのマイクロホンと最も近い距離を有し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得することは、
前記５．１チャンネルにおける任意のチャンネルに対して、前記チャンネルに最も近い二つのマイクロホンにより採取された二つのルートのサウンド信号を取得することと、
前記チャンネルに対応する到達位相差に基づき、前記二つのルートのサウンド信号から前記チャンネルに対応するサウンド信号を分離することと、を含んでおり、
前記到達位相差は前記チャンネルからのサウンドがそれぞれ前記二つのマイクロホンに到達する際に対応する初期位相（Ｉｎｉｔｉａｌ  ｐｈａｓｅ  ａｎｇｌｅ）の差であり、前記チャンネルに対応するサウンド信号はセンターチャンネル信号、左チャンネル信号、右チャンネル信号、リア左チャンネル信号、及びリア右チャンネル信号のうちのいずれかの一つであることを特徴とするレコーディング装置。
【請求項１３】
プロセッサに実行されることにより、請求項１から請求項５のいずれかに記載のレコーディング方法を実現する記録媒体に記録されたプログラム。
【請求項１４】
請求項１３に記載のプログラムが記録された記録媒体。
【発明の詳細な説明】
【技術分野】
【０００１】
本発明は、マルチメディア処理分野に関し、特に、レコーディング方法、装置、プログラム及び記録媒体に関する。
【背景技術】
【０００２】
スマートフォンや、タブレットＰＣや、パームトップパソコンなどのようなモバイル端末にはマイクロホンが装備されている。ユーザはマイクロホンによってレコーディングすることができる。
【０００３】
一般的にはモバイル端末には一つ乃至三つのマイクロホンのみ装備されているため、レコーディングされたオーディオデータはモノラルデータまたはバイノーラルデータであり、その音場範囲および臨場感も比較的弱い。
【発明の概要】
【０００４】
本発明は、ハードウェアによる規制のせいでモノラルまたはバイノーラルのオーディオデータしかレコーディングされないことにより、音場範囲および臨場感が比較的弱いという課題を解消するためのレコーディング方法、装置、プログラム及び記録媒体を提供する。該解決策は以下の通りである。
【０００５】
本発明の実施例の第１の局面によれば、三つのマイクロホンが設置されているモバイル端末に用いられるレコーディング方法を提供し、
前記三つのマイクロホンにより採取された三つのルートのサウンド信号を取得するステップと、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップと、
前記三つのルートのサウンド信号に基づき演算を通じて前記５．１チャンネルにおけるサブウーハーチャンネル信号を得るステップと、
前記センターチャンネル信号、左チャンネル信号、右チャンネル信号、リア左チャンネル信号、リア右チャンネル信号、及び前記サブウーハーチャンネル信号を組み合わせて前記５．１チャンネルのサウンド信号を得るステップと、を含む。
【０００６】
好ましくは、前記三つのマイクロホンは、前記５．１チャンネルのセンターチャンネルの方向にある第１のマイクロホン、前記５．１チャンネルのリア左チャンネルの方向にある第２のマイクロホン、及び前記５．１チャンネルのリア右チャンネルの方向にある第３のマイクロホンを含み、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップは、
前記第１のマイクロホンにより採取された第１のサウンド信号を前記センターチャンネル信号とするステップと、
前記第２のマイクロホンにより採取された第２のサウンド信号を前記リア左チャンネル信号とするステップと、
前記第３のマイクロホンにより採取された第３のサウンド信号を前記リア右チャンネル信号とするステップと、
前記第１のサウンド信号及び前記第２のサウンド信号の同時点における幅を加重平均して第４のサウンド信号を得て、前記第４のサウンド信号を前記左チャンネル信号とするステップと、
前記第１のサウンド信号及び前記第３のサウンド信号の同時点における幅を加重平均して第５のサウンド信号を得て、前記第５のサウンド信号を前記右チャンネル信号とするステップとを含む。
【０００７】
好ましくは、前記三つのマイクロホンは原点に対して分散配置され、前記５．１チャンネルにおける各チャンネルは前記三つのマイクロホンのうちの二つのマイクロホンと最も近い距離を有し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するステップは、
前記５．１チャンネルにおける任意のチャンネルに対して、前記チャンネルに最も近い二つのマイクロホンにより採取された二つのルートのサウンド信号を取得するステップと、
前記チャンネルに対応する到達位相差に基づき、前記二つのルートのサウンド信号から前記チャンネルに対応するサウンド信号を分離するステップと、を含んでおり、
前記到達位相差は前記チャンネルからのサウンドがそれぞれ前記二つのマイクロホンに到達する際に対応する初期位相（Ｉｎｉｔｉａｌ  ｐｈａｓｅ  ａｎｇｌｅ）の差であり、前記チャンネルに対応するサウンド信号はセンターチャンネル信号、左チャンネル信号、右チャンネル信号、リア左チャンネル信号、及びリア右チャンネル信号のうちのいずれかの一つである。
【０００８】
好ましくは、前記チャンネルに対応する到達位相差に基づき、前記二つのルートのサウンド信号から前記チャンネルに対応するサウンド信号を分離するステップは、
前記チャンネルに対応する到達位相差に基づき、前記二つのルートのサウンド信号における第１のサウンド信号をフィルタリングして第１のフィルタリングデータを得て、前記チャンネルに対応する到達位相差に基づき前記二つのルートのサウンド信号における第２のサウンド信号をフィルタリングし第２のフィルタリングデータを得るステップと、
前記第１のフィルタリングデータと前記第２のフィルタリングデータとの同一部分を前記チャンネルに対応するサウンド信号として抽出するステップとを含む。
【０００９】
好ましくは、前記三つのルートのサウンド信号に基づき演算を通じて前記５．１チャンネルにおけるサブウーハーチャンネル信号を得るステップは、
前記三つのルートのサウンド信号の同時点における幅を平均して平均サウンド信号を得るステップと、
前記平均サウンド信号を低域フィルタリングして前記サブウーハーチャンネル信号を得るステップと、を含む。
【００１０】
好ましくは、該方法は、
さらに、前記三つのルートのサウンド信号に対しノイズリダクションを行うステップを含む。
【００１１】
本発明の実施例の第２の局面によれば、三つのマイクロホンを備え、
前記三つのマイクロホンにより採取された三つのルートの信号を取得するように構成される取得モジュールと、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得するように構成される第１の演算モジュールと、
前記三つのルートのサウンド信号に基づき演算を通じて前記５．１チャンネルにおけるサブウーハーチャンネル信号を得るように構成される第２の演算モジュールと、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成される組合せモジュールと、を含むレコーディング装置を提供する。
【００１２】
好ましくは、前記三つのマイクロホンは、前記５．１チャンネルのセンターチャンネルの方向にある第１のマイクロホンと、前記５．１チャンネルのリア左チャンネルの方向にある第２のマイクロホンと、前記５．１チャンネルのリア右チャンネルの方向にある第３のマイクロホンとを含んでおり、
前記第１の演算モジュールは、
前記第１のマイクロホンにより採取された第１のサウンド信号を前記センターチャンネル信号とするように構成される第１のサブモジュールと、
前記第２のマイクロホンにより採取された第２のサウンド信号を前記リア左チャンネル信号とするように構成される第２のサブモジュールと、
前記第３のマイクロホンにより採取された第３のサウンド信号を前記リア右チャンネル信号とするように構成される第３のサブモジュールと、
前記第１のサウンド信号及び前記第２のサウンド信号の同時点における幅を加重平均して第４のサウンド信号を得て、前記第４のサウンド信号を前記左チャンネル信号とするように構成される第１の平均サブモジュールと、
前記第１のサウンド信号と前記第３のサウンド信号の同時点における幅を加重平均して第５のサウンド信号を得て、前記第５のサウンド信号を前記右チャンネル信号とするように構成される第２の平均サブモジュールとを含む。
【００１３】
好ましくは、前記三つのマイクロホンは原点に対して分散配置され、前記５．１チャンネルにおける各チャンネルは前記三つのマイクロホンのうちの二つのマイクロホンと最も近い距離を有し、
前記第１の演算モジュールは、
前記５．１チャンネルにおける任意のチャンネルに対して、前記チャンネルに最も近い二つのマイクロホンにより採取された二つのルートのサウンド信号を取得するように構成される取得サブモジュールと、
前記チャンネルに対応する到達位相差に基づき、前記二つのルートのサウンド信号から前記チャンネルに対応するサウンド信号を分離するように構成される分離サブモジュールと、を含んでおり、
前記到達位相差は前記チャンネルからのサウンドがそれぞれ前記二つのマイクロホンに到達する際に対応する初期位相の差であり、前記チャンネルに対応するサウンド信号はセンターチャンネル信号、左チャンネル信号、右チャンネル信号、リア左チャンネル信号、及びリア右チャンネル信号からなる群から選ばれた任意の一つである。
【００１４】
好ましくは、前記分離サブモジュールは、
前記チャンネルに対応する位相差に基づき前記第１のサウンドデータをフィルタリングして第１のフィルタリングデータを得て、前記チャンネルに対応する位相差に基づき前記第２のサウンドデータをフィルタリングして第２のフィルタリングデータを得るように構成されるフィルタリングサブモジュールと、
前記第１のフィルタリングデータと前記第２のフィルタリングデータとの同一部分を前記チャンネルに対応するサウンド信号として抽出するように構成される抽出サブモジュールとを含む。
【００１５】
好ましくは、前記第２の演算モジュールは、
前記三つのルートのサウンド信号の同時点における幅を平均して平均サウンド信号を得るように構成される平均サブモジュールと、
前記平均サウンド信号を低域フィルタリングして前記サブウーハーチャンネル信号を得るように構成される低域フィルタリングサブモジュールと、を含む。
【００１６】
好ましくは、該装置は、
さらに、前記三つのルートのサウンド信号に対しノイズリダクションを行うように構成されるノイズリダクションモジュールを含む。
【００１７】
本発明の実施例の第３の局面によれば、三つのマイクロホンを備え、
プロセッサと、
プロセッサにより実行可能な指令を記憶するためのメモリと、を含み、
前記プロセッサは、
前記三つのマイクロホンにより採取された三つのルートのサウンド信号を取得し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得し、
前記三つのルートのサウンド信号に基づき演算を通じて前記５．１チャンネルにおけるサブウーハーチャンネル信号を得て、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成されるレコーディング装置を提供する。
本発明の実施例の第４の局面によれば、プロセッサに実行されることにより、前記レコーディング方法を実現する記録媒体に記録されたプログラムを提供する。
本発明の実施例の第５の局面によれば、前記プログラムが記録された記録媒体を提供する。
【００１８】
本発明の実施例に係る解決策は、以下の有益な効果を有する。
【００１９】
端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザの作製するオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することによりレコーディングの音質を向上できるという効果を達成する。
【００２０】
また、上記の一般的な説明及び以下の詳細な説明は単なる例示及び解釈に過ぎず、本発明を限定するものではないことを理解すべきである。
【図面の簡単な説明】
【００２１】
本願の図面は明細書に取り込まれ本発明明細書の一部を構成し、本発明に合致する実施例を示し、また、明細書と共に本発明の原理の解釈に用いられる。
【図１Ａ】本発明の各実施例にかかる５．１チャンネルシステムのチャンネル配置を模式的に示す図である。
【図１Ｂ】本発明の例示的な実施例にかかる実施環境を模式的に示す図である。
【図１Ｃ】本発明の例示的な実施例にかかる実施環境を模式的に示す図である。
【図１Ｄ】本発明の例示的な実施例にかかる実施環境を模式的に示す図である。
【図２】例示的な実施例にかかるレコーディング方法を示すフローチャートである。
【図３】他の例示的な実施例にかかるレコーディング方法を示すフローチャートである。
【図４】また他の例示的な実施例にかかるレコーディング方法を示すフローチャートである。
【図５】例示的な実施例にかかるレコーディング装置を示すブロック図である。
【図６】他の例示的な実施例にかかるレコーディング装置を示すブロック図である。
【図７】更に他の例示的な実施例にかかるレコーディング装置を示すブロック図である。
【図８】例示的な実施例にかかる装置を示すブロック図である。
【発明を実施するための形態】
【００２２】
ここで例示的な実施例について詳細に説明を行うが、その例示は図面において示されている。以下の説明が図面に関する場合、特に示さない限り、異なる図面の中の同一の数字は同一又は類似の要素を表す。また、以下の例示的な実施例で説明する実施形態は、本発明と一致する全ての実施形態を代表するものではなく、これらは特許請求の範囲において詳述した、本発明の一部の態様と一致する装置及び方法の例に過ぎない。
【００２３】
図１Ａは本発明の各実施例にかかる５．１チャンネルシステムのチャンネル配置を模式的に示す図である。図１Ａに示すように、該５．１チャンネルシステムは、センターチャンネルＣ、左チャンネルＬ、右チャンネルＲ、リア左チャンネルＬＳ、リア右チャンネルＲＳ、およびサブウーハーチャンネルＬＦＥを含み得る。
【００２４】
ユーザが図１Ａにおける中央点１０に位置するとともに、センターチャンネルＣのある位置に向かい、それぞれのチャンネルからユーザの位置する中央点までの距離が等しく、かつ、同一の平面にあると仮想する。
【００２５】
センターチャンネルＣは、ユーザが向かう方向の直前にある。
【００２６】
左チャンネルＬと右チャンネルＲはそれぞれセンターチャンネルＣの両側に位置しており、別々にユーザが向かう方向より３０°の角をなすように対称に設置されている。
【００２７】
リア左チャンネルＬＳとリア右チャンネルＲＳはそれぞれユーザが向かう方向よりも後方に位置しており、別々にユーザが向かう方向より１００〜１２０°の角となすように対称に設置されている。
【００２８】
サブウーハーの方向性に鈍感して、サブウーハーチャンネルＬＦＥの配置位置は厳密な要求がない。サブウーハーチャンネルとユーザが向かう方向との間の角度の違いによって、５．１チャンネルのサウンド信号における低音信号が変化される。ユーザは必要に応じてサブウーハーチャンネルＬＦＥの配置位置を調整できる。本発明はサブウーハーチャンネルＬＦＥとユーザが向かう方向となす角度について限定を行わず、例示的に図１Ａにおいてマーキングをしている。
【００２９】
ここで、発明の実施例にかかる５．１チャンネルシステムにおけるそれぞれのチャンネルとユーザが向かう方向となす角度は例示的なものに過ぎない。また、それぞれのチャンネルとユーザとの距離は異なってもよく、それぞれのチャンネルが配置される高さも異なってもよく、即ち、チャンネルは同一の平面に配置されなくてもよく、必要に応じてユーザにより調整され得て、それぞれのチャンネルの配置位置によってはサウンド信号も異なり、これについては本発明では限定を行わない。
【００３０】
図１Ｂは本発明の各実施例にかかる端末を模式的に示す図である。図１Ｂに示すように、該端末１１０は、第１のマイクロホン１２０、第２のマイクロホン１３０、および第３のマイクロホン１４０を含み得る。
【００３１】
端末１１０は、携帯電話や、タブレットＰＣなどのような三つのマイクロホンが配置されているモバイル端末であってもよい。
【００３２】
第１のマイクロホン１２０、第２のマイクロホン１３０、第３のマイクロホン１４０は端末１１０に配置されている三つのマイクロホンであり、サウンド信号の採取に用いられる。
【００３３】
好ましくは、第１のマイクロホン１２０、第２のマイクロホン１３０及び第３のマイクロホン１４０は次のような二種の設置方式で設置される。
【００３４】
図１Ｃに示すように、三つのマイクロホンの一種の設置方式としては、第１のマイクロホン１２０は前方に向き、第２のマイクロホン１３０は左側に向くとともに第１のマイクロホン１２０より１００〜１２０°の角度をなし、第３のマイクロホン１４０は右側に向くとともに第１のマイクロホン１２０より１００〜１２０°の角度をなす。即ち、第１のマイクロホン１２０の配置位置は５．１チャンネルにおけるセンターチャンネルの方向に対応し、第２のマイクロホン１３０の配置位置はリア左チャンネルの方向に対応し、第３のマイクロホン１４０の配置位置はリア右チャンネルの方向に対応している。
【００３５】
図１Ｄに示すように、三つのマイクロホンの他の配置方式としては、三つのマイクロホンは自在に分散設置されており、５．１チャンネルシステムにおける各チャンネルはこの三つのマイクロホンのうちの二つのマイクロホンと最も近い距離を有する。図１Ｄに示す状況を例として説明すれば、センターチャンネルＣと距離が最も近いのは第１のマイクロホン１２０及び第２のマイクロホン１３０であり、左チャンネルＬと距離が最も近いのは第１のマイクロホン１２０及び第２のマイクロホン１３０であり、右チャンネルＲと距離が最も近いのは第１のマイクロホン１２０及び第３のマイクロホン１４０であり、リア左チャンネルＬＳと距離が最も近いのは第２のマイクロホン１２０及び第３のマイクロホン１４０であり、リア右チャンネルＲＳと距離が最も近いのは第１のマイクロホン１２０及び第３のマイクロホン１４０である。三つのマイクロホンの位置が他の位置であり得ることは当然なことであり、できる限り分散させばよい。本実施例はこれについて限定を行わない。
【００３６】
図２は例示的な実施例にかかるレコーディング方法を示すフローチャートである。図２に示すように、該レコーディング方法は図１Ｂ及び図１Ｃに示す実施環境に適用され、図１Ａに示す５．１チャンネルシステムに関わり、下記のステップを含む。
【００３７】
ステップ２０２において、三つのマイクロホンにより採取された三つのルートのサウンド信号を取得する。
【００３８】
一般的には、三つのマイクロホンにより採取された三つのルートのサウンド信号は同一の音源からのものであり、かつ、三つのマイクロホンは音源との距離が異なる。サウンドが各マイクロホンに達する時間が異なるため、本発明の実施例において、同時点に三つのマイクロホンにより採集された三つのルートのサウンド信号の周波数は同一であり、幅は異なっていると見なす。
【００３９】
ステップ２０４において、三つのルートのサウンド信号に基づき演算を通じて５．１チャンネルにおけるセンターチャンネル信号、左チャンネル信号、右チャンネル信号、リア左チャンネル信号、及びリア右チャンネル信号を得る。
【００４０】
ステップ２０６において、三つのルートのサウンド信号に基づき演算を通じて５．１チャンネルにおけるサブウーハーチャンネル信号を得る。
【００４１】
ここで、ステップ２０４とステップ２０６とは並列関係であり、特定な先後順序がない。
【００４２】
ステップ２０８において、センターチャンネル信号、左チャンネル信号、右チャンネル信号、リア左チャンネル信号、リア右チャンネル信号、及びサブウーハーチャンネル信号を組み合わせて５．１チャンネルのサウンド信号を得る。
【００４３】
上記のように、本発明の実施例に提供されるレコーディング方法は、端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザのレコーディングするオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することによりレコーディングの音質及びユーザの聴取体験を大いに向上できるという効果を達成する。
【００４４】
端末１１０における三つのマイクロホンの配置方式は２種あるため、配置方式毎に対応して、上記ステップ２０４におけるチャンネル信号を算出する具体的な実現方式も異なる。
【００４５】
図１Ｂに示す第１種の配置方式、即ち、三つのマイクロホンが５．１チャンネルシステムに対応するという配置方式に応じる具体的な実現方式は、図３のフローチャートに示すように、上記ステップ２０４の代わりに図３に示すステップ３３１〜３３５を実行することができる。
【００４６】
図１Ｄに示す第２種の配置方式、即ち、三つのマイクロホンが自在に配置される配置方式に応じる具体的な実現方式は、図４のフローチャートに示すように、上記ステップ２０４の代わりに図４に示すステップ３３８、ステップ３３９ａ、及びステップ３３９ｂを実行することができる。
【００４７】
図３は例示的な実施例にかかるレコーディング方法を示すフローチャートである。図３に示すように、本実施例は該レコーディング方法を図１Ｂに示す第１種の配置方式に適用することを例として説明を行い、下記のステップを含む。
【００４８】
ステップ３１０において、三つのマイクロホンにより採取された三つのルートのサウンド信号を取得する。
【００４９】
端末は三つのマイクロホンによりそれぞれ採取された三つのルートのサウンド信号を取得する。本実施例において、第１のマイクロホン、第２のマイクロホン、及び第３のマイクロホンにより採取されたサウンド信号をそれぞれＡ＿ｍｉｃ１、Ａ＿ｍｉｃ２、及びＡ＿ｍｉｃ３とする。
【００５０】
端末の取得したサウンド信号はアナログ信号である。サウンド信号を取得した後、端末はアナログ信号をデジタル信号に変換させて後続処理を行ってもよいし、採取されたアナログ信号を直接的に用いて処理を行ってもよい。本実施例はこれについて限定を行わない。本実施例は採取されたサウンド信号をデジタル信号に変換させることを例として説明を行う。
【００５１】
ステップ３２０において、三つのルートのサウンド信号に対しノイズリダクション（Ｎｏｉｓｅ  ｒｅｄｕｃｔｉｏｎ）を行う。
【００５２】
端末は取得された三つのルートのサウンドに対しノイズリダクションを行って、ノイズリダクションされた第１のマイクロホン、第２のマイクロホン、及び第３のマイクロホンのサウンド信号をそれぞれＡ＿ｍｉｃ１’、Ａ＿ｍｉｃ２’、及びＡ＿ｍｉｃ３’とする。
【００５３】
ノイズリダクション方法の一種としては、ウェーブレットに基づき信号におけるノイズを除去し、採取された第１のサウンド信号Ａ＿ｍｉｃ１に対し多層ウェーブレット信号の分解を行い、適合の閾値を選択して層毎のウェーブレット信号の高周波係数を処理し、処理後の信号に対しウェーブレット再構成を行い、出力信号はＡ＿ｍｉｃ１’である。第２のサウンド信号及び第３のサウンド信号に対して該方法を利用してノイズリダクションを行なうことができ、ノイズリダクションされたサウンド信号はＡ＿ｍｉｃ２’及びＡ＿ｍｉｃ３’である。
【００５４】
上記のステップで行われるノイズリダクションは必須でなくサウンド信号の品質を向上するための処理だけであり、上記のステップは選択可能なステップであることを、当業者は理解すべきである。また、ノイズを低減する方法は多くあり、様々な信号処理の方法によって三つのルートのサウンド信号におけるノイズをフィルタリングでき、本実施例はこれについて限定を行わない。
【００５５】
ステップ３３１において、第１のマイクロホンにより採取された第１のサウンド信号をセンターチャンネル信号とする。
【００５６】
端末は第１のマイクロホンにより採取された第１のサウンド信号に対しノイズリダクションを行って得たＡ＿ｍｉｃ１’をセンターチャンネル信号を得てＡ＿Ｃ’とし、即ち、センターチャンネル信号がＡ＿Ｃ’であり、Ａ＿Ｃ’＝Ａ＿ｍｉｃ１’である。
【００５７】
ステップ３３２において、第２のマイクロホンにより採取された第２のサウンド信号をリア左チャンネル信号とする。
【００５８】
端末は第２のマイクロホンにより採取された第２のサウンド信号に対しノイズリダクションを行って得たＡ＿ｍｉｃ２’をリア左チャンネル信号を得てＡ＿ＬＳ’とし、即ち、リア左チャンネル信号がＡ＿ＬＳ’であり、Ａ＿ＬＳ’＝Ａ＿ｍｉｃ２’である。
【００５９】
ステップ３３３において、第３のマイクロホンにより採取された第３のサウンド信号をリア右チャンネル信号とする。
【００６０】
端末は第３のマイクロホンにより採取された第３のサウンド信号に対しノイズリダクションを行って得たＡ＿ｍｉｃ３’をリア右チャンネル信号を得てＡ＿ＲＳ’とし、即ち、リア右チャンネル信号がＡ＿ＲＳ’であり、Ａ＿ＲＳ’＝Ａ＿ｍｉｃ３’である。
【００６１】
ステップ３３４において、第１のサウンド信号及び第２のサウンド信号の同時点における幅を加重平均して第４のサウンド信号を得て、第４のサウンド信号を左チャンネル信号とする。
【００６２】
端末は第１のサウンド信号に対しノイズリダクションを行って得たＡ＿ｍｉｃ１’及び第２のサウンド信号に対しノイズリダクションを行って得たＡ＿ｍｉｃ２’の同時点における幅を加重平均して得た第４のサウンド信号を左チャンネル信号を得てＡ＿Ｌ’とし、即ち、左チャンネル信号がＡ＿Ｌ’であり、
Ａ＿Ｌ’＝ａ１＊Ａ＿ｍｉｃ１’＋ｂ１＊Ａ＿ｍｉｃ２’
という式を満たす。
【００６３】
ここで、ａ１はＡ＿ｍｉｃ１’の加重値であり、ｂ１はＡ＿ｍｉｃ２’の加重値であり、ａ１とｂ１の具体的な数値は三つのマイクロホンの位置及び各チャンネルの位置に基づき予め設定されてもよいし、ユーザにより設定されてもよい。数値を取る可能な方式としてはａ１＝０．３７５、ｂ１＝０．６２５が挙げられる。ここで、上記の数値を取る可能な方式においては、ａ１＋ｂ１＝１であるが、他の数値を取る可能な方式においては、ａ１＋ｂ１が１ではなくてもよい。本発明の実施例はａ１、ｂ１の設定方式及びその具体的な数値について限定を行わない。
【００６４】
ステップ３３５において、第１のサウンド信号及び第３のサウンド信号の同時点における幅を加重平均して第５のサウンド信号を得て、第５のサウンド信号を右チャンネル信号とする。
【００６５】
端末は第１のサウンド信号に対しノイズリダクションを行って得たＡ＿ｍｉｃ１’及び第３のサウンド信号に対しノイズリダクションを行って得たＡ＿ｍｉｃ３’の同時点における幅を加重平均して得た第５のサウンド信号を右チャンネル信号を得てＡ＿Ｒ’とし、即ち、右チャンネル信号がＡ＿Ｒ’であり、
Ａ＿Ｒ’＝ａ２＊Ａ＿ｍｉｃ１’＋ｂ２＊Ａ＿ｍｉｃ３’
という式を満たす。
【００６６】
ここで、ａ２はＡ＿ｍｉｃ１’の加重値であり、ｂ２はＡ＿ｍｉｃ３’の加重値であり、ａ２及びｂ２の具体的な数値は三つのマイクロホンの位置及び各チャンネルの位置に基づき予め設定されてもよいし、ユーザにより設定されてもよい。数値を取る可能な方式としては、ａ２＝０．３７５、ｂ２＝０．６２５が挙げられる。ここで、上記の数値を取る可能な方式において、ａ２＋ｂ２＝１であるが、他の数値を取る可能な方式において、ａ２＋ｂ２が１ではなくてもよい。本発明の実施例はａ２、ｂ２の設定方式及びその具体的な数値について限定を行わない。
【００６７】
ここで、上記ステップ３３１〜３３５は並列関係であり、特定な先後順序が無い。
【００６８】
三つのルートのサウンド信号に基づき演算を通じて５．１チャンネルにおけるサブウーハーチャンネル信号を得て、該ステップの実現過程は次の通りであってもよい。
【００６９】
ステップ３４１において、三つのルートのサウンド信号の同時点における幅を平均して平均サウンド信号を得る。
【００７０】
端末は三つのルートのサウンド信号に対しノイズリダクションを行って得たＡ＿ｍｉｃ１’、Ａ＿ｍｉｃ２’及びＡ＿ｍｉｃ３’の同時点における幅を平均して平均サウンド信号を得てＡ＿ＬＦＥとし、即ち、平均サウンド信号がＡ＿ＬＦＥであり、
Ａ＿ＬＦＥ＝（Ａ＿ｍｉｃ１’＋Ａ＿ｍｉｃ２’＋Ａ＿ｍｉｃ３’）／３
という式を満たす。
【００７１】
ステップ３４２において、平均サウンド信号を低域フィルタリングしてサブウーハーチャンネル信号を得る。
【００７２】
端末はステップ３４１において得られた平均サウンド信号を低域フィルタリングしてサブウーハーチャンネル信号を得る。ローパスフィルタのカットオフ周波数は選択可能なものであり、一般的には、カットオフ周波数を８０Ｈｚ〜１２０Ｈｚの範囲に設定し、本実施例はこれについて限定を行わない。
【００７３】
低域フィルタリングして得られたサブウーハーチャンネル信号をＡ＿ＬＦＥ’とし、即ち、サブウーハーチャンネル信号がＡ＿ＬＦＥ’であり、Ａ＿ＬＦＥ’＝ＬＰＡＳＳ（Ａ＿ＬＦＥ）を満たす。
【００７４】
ここで、ｙ＝ＬＰＡＳＳ（ｘ）という関数、即ち、信号ｙは信号ｘがローパスフィルタによってフィルタリングされた後の信号であることを示す。
【００７５】
ここで、ステップ３４１とステップ３３１〜３３５とも並列関係であり、特定の先後順序が無い。
【００７６】
ステップ３５０において、センターチャンネル信号、左チャンネル信号、右チャンネル信号、リア左チャンネル信号、リア右チャンネル信号、及びサブウーハーチャンネル信号を組み合わせて５．１チャンネル信号を得る。
【００７７】
端末は上記ステップを介して得られたセンターチャンネル信号Ａ＿Ｃ’、左チャンネル信号Ａ＿Ｌ’、右チャンネル信号Ａ＿Ｒ’、リア左チャンネル信号Ａ＿ＬＳ’、リア右チャンネル信号Ａ＿ＲＳ’、及びサブウーハーチャンネル信号Ａ＿ＬＦＥ’を組み合わせて５．１チャンネル信号を得てＡ＿５．１ｃｈとし、選択可能な組合せ方式が当業者であれば理解できる方式であるので、ここで、その具体的な説明は省略する。
【００７８】
ステップ３６０において、組み合わせて得られた５．１チャンネル信号をメモリに記憶する。
【００７９】
端末は組み合わせて得られた５．１チャンネル信号を端末自体のメモリまたは外部の記憶装置に保存する。
【００８０】
端末が５．１チャンネル信号を記憶する場合、圧縮されないＰＣＭやＷＡＶなどのフォーマットを用いることができる。
【００８１】
好ましくは、端末は、ＤｏｌｂｙＤｉｇｉｔａｌ（ドルビーデジタル）や、ＡＡＣ（Ａｄｖａｎｃｅｄ  Ａｕｄｉｏ  Ｃｏｄｉｎｇ、アドバンスト・オーディオ・コーディング）や、ＤＴＳ（Ｄｉｇｉｔａｌ  Ｔｈｅａｔｒｅ  Ｓｙｓｔｅｍ、デジタル・シアター・システム）や、３Ｄ−Ａｕｄｉｏなどの、５．１チャンネルを支持する圧縮フォーマットを用いることができる。
【００８２】
上記のように、本発明の実施例に提供される方法は、端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザの作製するオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することによりレコーディングの音質及びユーザの聴取体験を大いに向上できるという効果を達成する。
【００８３】
本発明の実施例に提供されるレコーディング方法は、所定位置に従い三つのマイクロホンを配置することにより、比較的少ない計算量で三つのマイクロホンにより採取された三つのルートのサウンド信号を５．１チャンネルデータとしてレコーディングでき、端末のハードウェアの配置を変更しなく、且つ、比較的少ない計算量で、ユーザが５．１チャンネルデータをレコーディングできるという効果を達成する。
【００８４】
図４はまた他の実施例にかかるレコーディング方法を示すフローチャートである。図４に示すように、本実施例は該レコーディング方法を図１Ｄに示す第２種の配置方式に適用する例を説明し、下記のステップを含む。
【００８５】
ステップ３１０において、三つのマイクロホンにより採取された三つのルートのサウンド信号を取得する。
【００８６】
端末は三つのマイクロホンによりそれぞれ採取された三つのルートのサウンド信号を取得する。本実施例において、第１のマイクロホン、第２のマイクロホン、及び第３のマイクロホンにより採取されたサウンド信号をそれぞれＡ＿ｍｉｃ１、Ａ＿ｍｉｃ２、及びＡ＿ｍｉｃ３とする。
【００８７】
端末の取得したサウンド信号はアナログ信号である。サウンド信号を取得した後、端末はアナログ信号をデジタル信号に変換させて後続処理を行ってもよいし、採取されたアナログ信号を直接的に用いて処理を行ってもよい。本実施例はこれについて限定を行わない。本実施例は採取されたサウンド信号をデジタル信号に変換させることを例として説明を行う。
【００８８】
ステップ３２０において、三つのルートのサウンド信号に対しノイズリダクション（Ｎｏｉｓｅ  ｒｅｄｕｃｔｉｏｎ）を行う。
【００８９】
端末は取得された三つのルートのサウンドに対しノイズリダクションを行って、ノイズリダクションされた第１のマイクロホン、第２のマイクロホン、及び第３のマイクロホンのサウンド信号をそれぞれＡ＿ｍｉｃ１’、Ａ＿ｍｉｃ２’、及びＡ＿ｍｉｃ３’とする。
【００９０】
ノイズリダクション方法の一種としては、ウェーブレットに基づき信号におけるノイズを除去し、採取された第１のサウンド信号Ａ＿ｍｉｃ１に対し多層ウェーブレット信号の分解を行い、適合の閾値を選択して層毎のウェーブレット信号の高周波係数を処理し、処理後の信号に対しウェーブレット再構成を行い、出力信号はＡ＿ｍｉｃ１’である。第２のサウンド信号及び第３のサウンド信号に対して該方法を利用してノイズリダクションを行なうことができ、ノイズリダクションされたサウンド信号はＡ＿ｍｉｃ２’及びＡ＿ｍｉｃ３’である。
【００９１】
上記のステップで行われるノイズリダクションは必須でなくサウンド信号の品質を向上するための処理だけであり、上記のステップは選択可能なステップであることを、当業者は理解すべきである。また、ノイズを低減する方法は多くあり、様々な信号処理の方法によって三つのルートのサウンド信号におけるノイズをフィルタリングでき、本実施例はこれについて限定を行わない。
【００９２】
ステップ３３８において、５．１チャンネルにおける任意のチャンネルに対して、該チャンネルに最も近い二つのマイクロホンにより採取された二つのルートのサウンド信号を取得する。
【００９３】
端末は原点に対する三つのマイクロホンの位置情報を取得する。この原点とは５．１チャンネルシステムの中央点１０の位置を指し、端末が該原点に基づき座標システムを確立する。
【００９４】
好ましくは、座標システムを作成する方法としては、５．１チャンネルシステムの中央点を原点とし、中央点からセンターチャンネルに向ける方向をｙ軸の正方向とし、ｙ軸に垂直し右側に向ける方向をｘ軸の正方向とし、本実施例においてこの座標システムを基に図１Ａを組み合わせて説明を行う。本実施例は座標システムを確立する方法について限定を行わない。
【００９５】
端末はこの座標システムにおける第１のマイクロホン、第２のマイクロホン、及び第３のマイクロホンの位置をそれぞれＰ＿ｍｉｃ１（ｘ１、ｙ１）、Ｐ＿ｍｉｃ２（ｘ２、ｙ２）、及びＰ＿ｍｉｃ３（ｘ３、ｙ３）とする。
【００９６】
５．１チャンネルシステムにおける各チャンネルはお互いに異なる方向を有する。図１Ａに示すように、センターチャンネルの方向がｙ軸方向であり、左チャンネルの方向がｙ軸正方向より左３０°離れており、右チャンネルの方向がｙ軸正方向より右３０°離れており、リア左チャンネルの方向がｙ軸正方向より左１００〜１２０°離れており、リア右チャンネルの方向がｙ軸正方向より右１００〜１２０°離れている。
【００９７】
５．１チャンネルにおける任意のチャンネルに対して、端末は先ず該チャンネルに最も近い二つのマイクロホンにより採取された二つのルートのサウンド信号を取得し、そして、該チャンネルに対応する到達位相差に基づき、二つのルートのサウンド信号から該チャンネルに対応するサウンド信号を分離する。
【００９８】
本実施例においてセンターチャンネルを例として説明を行う。図１Ｄに示すように、センターチャンネルに最も近い二つのマイクロホンは第１のマイクロホンと第２のマイクロホンである場合、この二つのマイクロホンにより採取されてからノイズリダクションを行って得られた二つのルートのサウンド信号はそれぞれＡ＿ｍｉｃ１’及びＡ＿ｍｉｃ２’である。
【００９９】
好ましくは、端末は該チャンネルに対応する到達位相差に基づき、二つのルートのサウンド信号から該チャンネルに対応するサウンド信号を分離し、下記の二つのサブステップを含み得る。
【０１００】
ステップ３３９ａにおいて、該チャンネルに対応する到達位相差に基づき、二つのルートのサウンド信号における第１ルートのサウンド信号をフィルタリングし第１のフィルタリングデータを得る。該チャンネルに対応する到達位相差に基づき、二つのルートのサウンド信号における第２ルートのサウンド信号をフィルタリングし第２のフィルタリングデータを得る。
【０１０１】
それぞれのマイクロホンは各方向からのサウンド信号を受信し、三つのマイクロホンに到達する各方向におけるサウンド信号の位相が異なるため、端末はそれぞれのチャンネルの到達位相差に基づき任意の一つのチャンネルからのサウンド信号を抽出することができる。
【０１０２】
センターチャンネルを例とすれば、センターチャンネルに最も近いのは第１のマイクロホンと第２のマイクロホンであり、第１のサウンド信号は上記第１ルートのサウンド信号であり、第２のサウンド信号が上記第２ルートのサウンド信号である。センターチャンネルは、それに最も近い第１のマイクロホン及び第２のマイクロホンとの距離が異なるため、センターチャンネルの方向におけるサウンドが第１のマイクロホン及び第２のマイクロホンに到達する際に固定の到達位相差があり、到達位相差をΔとする。
【０１０３】
第１ルートのサウンド信号及び第２ルートのサウンド信号のサウンド信号を同じ方式で複数のサブ信号に分割して、第１ルートのサウンド信号におけるそれぞれのサブ信号は一般的に第２のサウンド信号において同時点に該当する他のサブ信号が存在する。そして、端末は第１ルートのサウンド信号と第２ルートのサウンド信号における同時点に該当する一対のサブ信号の間の到達位相差を比較して、到達位相差がΔである場合、センターチャンネルの方向における信号に該当すると判断し、それを保留するが、到達位相差がΔではない場合、センターチャンネルの方向における信号に該当しないと判断し、それをフィルタリングする。このような方法によって、第１ルートのサウンド信号をフィルタリングし第１のフィルタリングデータを得て、第２ルートのサウンド信号をフィルタリングし第２のフィルタリングデータを得る。
【０１０４】
端末はサウンド信号を複数のサブ信号に分割する場合、エンコード・プロトコルに従いそれぞれのオーディオフレームを一つのサブ信号とすることができるが、本実施例はそれぞれのサブ信号に分割する方法について限定を行わない。
【０１０５】
また、それぞれのチャンネルに対応する到達位相差は、端末において予めマイクロホン毎の座標位置に基づき演算を通じて得ることができる。
【０１０６】
ステップ３３９ｂにおいて、該チャンネルに対応するサウンド信号として第１のフィルタリングデータ及び第２のフィルタリングデータにおける同じ部分を抽出する。
【０１０７】
端末は得られた第１のフィルタ信号及び第２のフィルタ信号における同じ部分を該チャンネルサウンド信号として抽出する。
【０１０８】
当業者は、ここで言うチャンネルはセンターチャンネル信号、左チャンネル信号、右チャンネル信号、リア左チャンネル信号、及びリア右チャンネル信号のうちの任意の一種であり得ることを理解できる。それぞれのチャンネルの処理方法も、上記の例に記載のセンターチャンネルに対する処理方法を用いることができる。端末がそれぞれのチャンネルのサウンド信号を取得した後、抽出されたこれらのチャンネルのサウンド信号をそれぞれセンターチャンネル信号Ａ＿Ｃ’、左チャンネル信号Ａ＿Ｌ’、右チャンネル信号Ａ＿Ｒ’、リア左チャンネル信号Ａ＿ＬＳ’、及びリア右チャンネル信号Ａ＿ＲＳ’とする。
【０１０９】
ステップ３４１において、三つのルートのサウンド信号の同時点における幅を平均して平均サウンド信号を得る。
【０１１０】
端末はノイズリダクションされた第１のサウンド信号Ａ＿ｍｉｃ１’、第２のサウンド信号Ａ＿ｍｉｃ２’、及び第３のサウンド信号Ａ＿ｍｉｃ３’の同時点における幅を平均して平均サウンド信号を得てＡ＿ＬＦＥとし、即ち、平均サウンド信号はＡ＿ＬＦＥであり、
Ａ＿ＬＦＥ＝（Ａ＿ｍｉｃ１’＋Ａ＿ｍｉｃ２’＋Ａ＿ｍｉｃ３’）／３
という式を満たす。
【０１１１】
ステップ３４２において、平均サウンド信号を低域フィルタリングしてサブウーハーチャンネル信号を得る。
【０１１２】
端末はステップ３４１において得られた平均サウンド信号を低域フィルタリングしてサブウーハーチャンネル信号を得る。ローパスフィルタのカットオフ周波数は選択可能なものであり、一般的には、カットオフ周波数を８０Ｈｚ〜１２０Ｈｚの範囲に設定し、本実施例はこれについて限定を行わない。
【０１１３】
低域フィルタリングして得られたサブウーハーチャンネル信号をＡ＿ＬＦＥ’とし、即ち、サブウーハーチャンネル信号がＡ＿ＬＦＥ’であり、Ａ＿ＬＦＥ’＝ＬＰＡＳＳ（Ａ＿ＬＦＥ）を満たす。
【０１１４】
ここで、ｙ＝ＬＰＡＳＳ（ｘ）という関数、即ち、信号ｙは信号ｘがローパスフィルタによってフィルタリングされた後の信号であることを示す。
【０１１５】
ここで、ステップ３４１とステップ３３８とも並列関係であり、特定の先後順序が無い。
【０１１６】
ステップ３５０において、センターチャンネル信号、左チャンネル信号、右チャンネル信号、リア左チャンネル信号、リア右チャンネル信号、及びサブウーハーチャンネル信号を組み合わせて５．１チャンネル信号を得る。
【０１１７】
端末は上記ステップを介して得られたセンターチャンネル信号Ａ＿Ｃ’、左チャンネル信号Ａ＿Ｌ’、右チャンネル信号Ａ＿Ｒ’、リア左チャンネル信号Ａ＿ＬＳ’、リア右チャンネル信号Ａ＿ＲＳ’、及びサブウーハーチャンネル信号Ａ＿ＬＦＥ’を組み合わせて５．１チャンネル信号を得てＡ＿５．１ｃｈとし、選択可能な組合せ方式が当業者であれば理解できる方式であるので、ここで、その具体的な説明は省略する。
【０１１８】
ステップ３６０において、組み合わせて得られた５．１チャンネル信号をメモリに記憶する。
【０１１９】
端末は組み合わせて得られた５．１チャンネル信号を端末自体のメモリまたは外部の記憶装置に保存する。
【０１２０】
端末が５．１チャンネル信号を記憶する場合、圧縮されないＰＣＭやＷＡＶなどのフォーマットを用いることができる。
【０１２１】
好ましくは、端末は、ＤｏｌｂｙＤｉｇｉｔａｌや、ＡＡＣや、ＤＴＳや、３Ｄ−Ａｕｄｉｏなどの、５．１チャンネルを支持する圧縮フォーマットを用いることができる。
【０１２２】
上記のように、本発明の実施例に提供される方法は、端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザの作製するオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することによりレコーディングの音質を向上できるという効果を達成する。
【０１２３】
本発明の実施例に提供されるレコーディング方法は、三つのマイクロホンの位置を自在に配置することによって、端末における実際空間に応じて三つのマイクロホンを自在に配置でき、そして、三つのマイクロホンにより採取された三つのルートのサウンド信号を５．１チャンネルデータとしてレコーディングし、端末のハードウェア配置を変更しなく、且つ、マイクロホン配置位置に厳密な要求がなく、５．１チャンネルデータをレコーディングできるという効果を達成できる。
【０１２４】
下記は本発明に係わる装置の実施例であり、本発明に係わる方法の実施例を実施することができる。本発明の装置の実施例で開示されない内容については、本発明の方法の実施例を参照する。
【０１２５】
図５は例示的な実施例にかかるレコーディング装置を示すブロック図である。図５に示すように、該レコーディング装置は図１Ｂに示す実施環境に適用され、図１Ａに示す５．１チャンネルシステムに関わっており、取得モジュール５００、第１の演算モジュール５２０、第２の演算モジュール５４０、及び組合せモジュール５６０を含んでもよいがこれらに限定されない。
【０１２６】
取得モジュール５００は、三つのマイクロホンにより採取された三つのルートのサウンド信号を取得するように構成される。
【０１２７】
第１の演算モジュール５２０は、該三つのルートのサウンド信号に基づき演算を通じて５．１チャンネルにおけるセンターチャンネル信号、左チャンネル信号、右チャンネル信号、リア左チャンネル信号、及びリア右チャンネル信号を得るように構成される。
【０１２８】
第２の演算モジュール５４０は、三つのルートのサウンド信号に基づき演算を通じて５．１チャンネルにおけるサブウーハーチャンネル信号を得る。
【０１２９】
組合せモジュール５６０は、センターチャンネル信号、左チャンネル信号、右チャンネル信号、リア左チャンネル信号、リア右チャンネル信号、及びサブウーハーチャンネル信号を組み合わせて５．１チャンネルのサウンド信号を得る。
【０１３０】
上記のように、本発明の実施例に提供される方法は、端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザの作製するオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することによりレコーディングの音質を向上できるという効果を達成する。
【０１３１】
図６は、例示的な実施例にかかるレコーディング装置を示すブロック図である。図６に示すように、本実施例は該レコーディング方法を図１Ｂに示す第１種の配置方式に適用する例について説明を行う。該装置は、取得モジュール５００、ノイズリダクションモジュール５１０、第１の演算モジュール５２０、第２の演算モジュール５４０、組合せモジュール５６０、及び記憶モジュール５８０を含んでもよいがこれらに限定されない。
【０１３２】
取得モジュール５００は、三つのマイクロホンにより採取された三つのルートのサウンド信号を取得するように構成される。
【０１３３】
ノイズリダクションモジュール５１０は、三つのルートのサウンド信号に対しノイズリダクションを行うように構成される。
【０１３４】
第１の演算モジュール５２０は、該三つのルートのサウンド信号に基づき演算を通じて５．１チャンネルにおけるセンターチャンネル信号、左チャンネル信号、右チャンネル信号、リア左チャンネル信号、及びリア右チャンネル信号を得るように構成される。
【０１３５】
第１の演算モジュール５２０は、具体的には、第１のサブモジュール５２１、第２のサブモジュール５２２、第３のサブモジュール５２３、第１の平均サブモジュール５２４、及び第２の平均サブモジュール５２５を含む。
【０１３６】
第１のサブモジュール５２１は、第１のマイクロホンにより採取された第１のサウンド信号をセンターチャンネル信号とするように構成される。
【０１３７】
第２のサブモジュール５２２は、第２のマイクロホンにより採取された第２のサウンド信号をリア左チャンネル信号とするように構成される。
【０１３８】
第３のサブモジュール５２３は、第３のマイクロホンにより採取された第３のサウンド信号をリア右チャンネル信号とするように構成される。
【０１３９】
第１の平均サブモジュール５２４は、第１のサウンド信号及び第２のサウンド信号の同時点における幅を加重平均して第４のサウンド信号を得て、第４のサウンド信号を左チャンネル信号とするように構成される。
【０１４０】
第２の平均サブモジュール５２５は、第１のサウンド信号及び第３のサウンド信号の同時点における幅を加重平均して第５のサウンド信号を得て、第５のサウンド信号を右チャンネル信号とするように構成される。
【０１４１】
第２の演算モジュール５４０は、三つのルートのサウンド信号に基づき演算を通じて５．１チャンネルにおけるサブウーハーチャンネル信号を得るように構成され、第２の演算モジュールは、平均サブモジュール５４１及び低域フィルタリングサブモジュール５４２を含む。
【０１４２】
平均サブモジュール５４１は、三つのルートのサウンド信号の同時点における幅を平均して平均サウンド信号を得るように構成される。
【０１４３】
低域フィルタリングサブモジュール５４２は、平均サウンド信号を低域フィルタリングしてサブウーハーチャンネル信号を得るように構成される。
【０１４４】
組合せモジュール５６０は、センターチャンネル信号、左チャンネル信号、右チャンネル信号、リア左チャンネル信号、リア右チャンネル信号、及びサブウーハーチャンネル信号を組み合わせて５．１チャンネルのサウンド信号を得るように構成される。
【０１４５】
記憶モジュール５８０は、組み合わせて得られた５．１チャンネル信号をメモリに記憶するように構成される。
【０１４６】
上記のように、本実施例に係わる装置は、端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザの作製するオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することにより、レコーディングの音質を向上できるという効果を達成する。
【０１４７】
上記実施例に係わる装置に関しては、その各モジュールが操作を実行する具体的な方式は該方法にかかる実施例において既に詳細的に記載されているので、ここで詳しく説明しない。
【０１４８】
本発明の一つの例示的な実施例は、三つのマイクロホンが配置されているモバイル端末に用いられ本発明の提供するレコーディング方法を実現できるレコーディング装置を提供しており、該装置はプロセッサ、プロセッサの実行可能な指令を記憶するためのメモリを備えており、
プロセッサは、
前記三つのマイクロホンにより採取された三つのルートのサウンド信号を取得し、
前記三つのルートのサウンド信号に基づき演算を通じて５．１チャンネルにおけるセンターチャンネル信号、左チャンネル信号、右チャンネル信号、リア左チャンネル信号、及びリア右チャンネル信号を取得し、
前記三つのルートのサウンド信号に基づき演算を通じて前記５．１チャンネルにおけるサブウーハーチャンネル信号を得て、
前記センターチャンネル信号、左チャンネル信号、右チャンネル信号、リア左チャンネル信号、リア右チャンネル信号、及び前記サブウーハーチャンネル信号を組み合わせて、前記５．１チャンネルのサウンド信号を得るように構成される。
【０１４９】
好ましくは、前記三つのマイクロホンは、前記５．１チャンネルのセンターチャンネルの方向にある第１のマイクロホン、前記５．１チャンネルのリア左チャンネルの方向にある第２のマイクロホン、及び前記５．１チャンネルのリア右チャンネルの方向にある第３のマイクロホンを含む場合、プロセッサは、
前記第１のマイクロホンにより採取された第１のサウンド信号を前記センターチャンネル信号とし、
前記第２のマイクロホンにより採取された第２のサウンド信号を前記リア左チャンネル信号とし、
前記第３のマイクロホンにより採取された第３のサウンド信号を前記リア右チャンネル信号とし、
前記第１のサウンド信号及び前記第２のサウンド信号の同時点における幅を加重平均して第４のサウンド信号を得て、前記第４のサウンド信号を前記左チャンネル信号とし、
前記第１のサウンド信号及び前記第３のサウンド信号の同時点における幅を加重平均して第５のサウンド信号を得て、前記第５のサウンド信号を前記右チャンネル信号とするように構成される。
【０１５０】
好ましくは、前記三つのマイクロホンは原点に対して分散配置される場合、プロセッサは、
前記５．１チャンネルにおける任意のチャンネルに対して、前記チャンネルに最も近い二つのマイクロホンにより採取された二つのルートのサウンド信号を取得し、
上記二つのルートのサウンド信号から、該チャンネルに対応する到達位相差に合致する第１のサウンドデータ及び第２のサウンドデータを分離し、
該チャンネルに対応する位相差に基づき第１のサウンドデータをフィルタリングして第１のフィルタリングデータを得て、該チャンネルに対応する位相差に基づき第２のサウンドデータをフィルタリングして第２のフィルタリングデータを得て、
前記第１のフィルタリングデータと前記第２のフィルタリングデータとの同一部分を前記チャンネルに対応するサウンド信号として抽出するように構成され、
ここで前記到達位相差は前記チャンネルからのサウンドがそれぞれ前記二つのマイクロホンに到達する際に対応する初期位相（Ｉｎｉｔｉａｌ  ｐｈａｓｅ  ａｎｇｌｅ）の差であり、前記チャンネルに対応するサウンド信号はセンターチャンネル信号、左チャンネル信号、右チャンネル信号、リア左チャンネル信号、及びリア右チャンネル信号のうちのいずれかの一つである。
【０１５１】
好ましくは、プロセッサは、
前記三つのルートのサウンド信号の同時点における幅を平均して平均サウンド信号を得て、
前記平均サウンド信号を低域フィルタリングして前記サブウーハーチャンネル信号を得るように構成される。
【０１５２】
好ましくは、プロセッサは、前記三つのルートのサウンド信号に対しノイズリダクションを行うように構成される。
【０１５３】
図７は更に他の例示的な実施例にかかるレコーディング装置を示すブロック図である。図７に示すように、本実施例は該レコーディング方法を図１Ｄに示す第２種の配置方式に応用する例を説明し、該装置は、取得モジュール５００、ノイズリダクションモジュール５１０、第１の演算モジュール５２０、第２の演算モジュール５４０、組合せモジュール５６０、及び記憶モジュール５８０を含んでもよいがこれらに限定されない。
【０１５４】
取得モジュール５００は、三つのマイクロホンにより採取された三つのルートのサウンド信号を取得するように構成される。
【０１５５】
ノイズリダクションモジュール５１０は、三つのルートのサウンド信号に対しノイズリダクションを行うように構成される。
【０１５６】
第１の演算モジュール５２０は、該三つのルートのサウンド信号に基づき演算を通じて５．１チャンネルにおけるセンターチャンネル信号、左チャンネル信号、右チャンネル信号、リア左チャンネル信号、及びリア右チャンネル信号を得るように構成される。
【０１５７】
第１の演算モジュール５２０は、具体的には、取得サブモジュール５２８及び分離サブモジュール５２９を含む。
【０１５８】
取得サブモジュール５２８は、５．１チャンネルにおける任意のチャンネルに対して、該チャンネルに最も近い二つのマイクロホンにより採取された二つのルートのサウンド信号を取得するように構成される。
【０１５９】
分離サブモジュール５２９は、該チャンネルに対応する到達位相差に基づき、上記二つのルートのサウンド信号から該チャンネルに対応するサウンド信号を分離するように構成される。
【０１６０】
上記分離サブモジュール５２９は、さらに第１の分離サブモジュール５２９ａと、フィルタリングサブモジュール５２９ｂとを含む。
【０１６１】
第１の分離サブモジュール５２９ａは、該チャンネルに対応する位相差に基づき、第１のサウンドデータをフィルタリングして第１のフィルタリングデータを得て、該チャンネルに対応する位相差に基づき、第２のサウンドデータをフィルタリングして第２のフィルタリングデータを得る、ように構成される。
【０１６２】
抽出サブモジュール５２９ｂは、該チャンネルに対応するサウンド信号として第１のフィルタリングデータと第２のフィルタリングデータとの同一部分を抽出する、ように構成される。
【０１６３】
第２の演算モジュール５４０は、三つのルートのサウンド信号に基づき演算を通じて５．１チャンネルにおけるサブウーハーチャンネル信号を得て、平均サブモジュール５４１と低域フィルタリングサブモジュール５４２とを含むように構成される。
【０１６４】
平均サブモジュール５４１は、三つのルートのサウンド信号の同時点における幅を平均して平均サウンド信号を得るように構成される。
【０１６５】
低域フィルタリングサブモジュール５４２は、平均サウンド信号を低域フィルタリングしてサブウーハーチャンネル信号を得るように構成される。
【０１６６】
組合せモジュール５６０は、センターチャンネル信号、左チャンネル信号、右チャンネル信号、リア左チャンネル信号、リア右チャンネル信号、及びサブウーハーチャンネル信号を組み合わせて５．１チャンネルのサウンド信号を得るように構成される。
【０１６７】
記憶モジュール５８０は、組み合わせて得られた５．１チャンネル信号をメモリに記憶するように構成される。
【０１６８】
上記のように、本実施例に係わる装置は、端末における三つのマイクロホンによって三つのルートのサウンド信号を採取し、この三つのルートのサウンド信号に基づき、センターチャンネル信号、左チャンネル信号、右チャンネル信号、リア左チャンネル信号、リア右チャンネル信号、及びサブウーハーチャンネル信号を作成及び算出するとともに、この六つのチャンネル信号を組み合わせて５．１チャンネルのサウンド信号を構成しており、関係技術における、ユーザの作製するオーディオデータがモノラルデータ又はバイノーラルデータだけであり得ることで、レコーディングの音場範囲及び臨場感が比較的弱いという問題を解決し、端末のハードウェアの配置を変更しない場合においてもユーザが５．１チャンネルデータを作成することにより、レコーディングの音質を向上できるという効果を達成する。
【０１６９】
図８は例示的な実施例にかかるレコーディングするための装置８００を示すブロック図である。例えば、装置８００は、携帯電話、コンピュータ、デジタル放送端末、メッセージ送受信デバイス、ゲームコンソール、タブレットデバイス、医療デバイス、フィットネス設備、パーソナルデジタルアシスタント等であってもよい。
【０１７０】
図８を参照して、装置８００は、プロセス部材８０２、メモリ８０４、電源部材８０６、マルチメディア部材８０８、オーディオ部材８１０、入出力（Ｉ／Ｏ）インターフェイス８１２、センサ部材８１４、及び通信部材８１６のような一つ以上の部材を含んでよい。
【０１７１】
プロセス部材８０２は、一般的には装置８００の全体の操作を制御するものであり、例えば、表示、電話呼び出し、データ通信、カメラ操作、及び記録操作と関連する操作を制御する。プロセス部材８０２は、一つ以上のプロセッサ８１８を含み、これらによって命令を実行することにより、上記の方法の全部、或いは一部のステップを実現するようにしてもよい。なお、プロセス部材８０２は、一つ以上のモジュールを含み、これらによってプロセス部材８０２と他の部材の間のインタラクションを容易にするようにしてもよい。例えば、プロセス部材８０２は、マルチメディアモジュールを含み、これらによってマルチメディア部材８０８とプロセス部材８０２の間のインタラクションを容易にするようにしてもよい。
【０１７２】
メモリ８０４は、各種類のデータを記憶することにより装置８００の操作を支援するように構成される。これらのデータの例は、装置８００において操作されるいずれのアプリケーションプログラム又は方法の命令、連絡対象データ、電話帳データ、メッセージ、画像、ビデオ等を含む。メモリ８０４は、いずれの種類の揮発性、不揮発性記憶デバイスまたはそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＰＲＯＭ（Ｐｒｏｇｒａｍｍａｂｌｅ  ＲＯＭ）、ＲＯＭ、磁気メモリ、フラッシュメモリ、磁気ディスク、或いは光ディスクである。
【０１７３】
電源部材８０６は、装置８００の多様な部材に電力を供給する。電源部材８０６は、電源管理システム、一つ以上の電源、及び装置８００のための電力の生成、管理及び割り当てに関連する他の部材を含んでもよい。
【０１７４】
マルチメディア部材８０８は、前記装置８００とユーザの間に一つの出力インターフェイスを提供するスクリーンを含む。上記の実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは一つ以上のタッチセンサを含んでおり、タッチ、スライド、及びタッチパネル上のジェスチャを検出することができる。前記タッチセンサは、タッチ、或いはスライドの動作の境界だけでなく、前記のタッチ、或いはスライド操作に係る継続時間及び圧力も検出できる。上記の実施例において、マルチメディア部材８０８は、一つのフロントカメラ、及び／又はリアカメラを含む。装置８００が、例えば撮影モード、或いはビデオモード等の操作モードにある場合、フロントカメラ、及び／又はリアカメラは外部からマルチメディアデータを受信できる。フロントカメラとリアカメラのそれぞれは、一つの固定型の光レンズ系、或いは可変焦点距離と光学ズーム機能を有するものであってもよい。
【０１７５】
オーディオ部材８１０は、オーディオ信号を入出力するように構成されてもよい。例えば、オーディオ部材８１０は、一つのマイク（ＭＩＣ）を含み、装置８００が、例えば呼出しモード、記録モード、及び音声認識モード等の操作モードにある場合、マイクは外部のオーディオ信号を受信することができる。受信されたオーディオ信号は、さらにメモリ８０４に記憶されたり、通信部材８１６を介して送信されたりされる。上記の実施例において、オーディオ部材８１０は、オーディオ信号を出力するための一つのスピーカーをさらに含む。
【０１７６】
Ｉ／Ｏインターフェイス８１２は、プロセス部材８０２と周辺インターフェイスモジュールの間にインターフェイスを提供するものであり、上記周辺インターフェイスモジュールは、キーボード、クリックホイール、ボタン等であってもよい。これらのボタンは、ホームページボタン、ボリュームボタン、起動ボタン、ロッキングボタンを含んでもよいが、これらに限定されない。
【０１７７】
センサ部材８１４は、装置８００に各方面の状態に対する評価を提供するための一つ以上のセンサを含む。例えば、センサ部材８１４は、装置８００のＯＮ／ＯＦＦ状態、装置８００のディスプレイと小さなキーパッドのような部材の相対的な位置決めを検出できる。また、例えば、センサ部材８１４は、装置８００、或いは装置８００の一つの部材の位置変更、ユーザと装置８００とが接触しているか否か、装置８００の方位、又は加速／減速、装置８００の温度の変化を検出できる。センサ部材８１４は、何れの物理的接触がない状態にて付近の物体の存在を検出するための近接センサを含んでもよい。センサ部材８１４は、撮影アプリケーションに適用するため、ＣＭＯＳ、又はＣＣＤイメージセンサのような光センサを含んでもよい。上記の実施例において、当該センサ部材８１４は、加速度センサ、ジャイロスコープセンサ、磁気センサ、圧力センサ、及び温度センサをさらに含んでもよい。
【０１７８】
通信部材８１６は、装置８００と他の機器の間に有線、又は無線形態の通信を提供する。装置８００は、例えばＷｉＦｉ（登録商標）、２Ｇ、３Ｇ、或いはこれらの組み合わせのような、通信規格に基づいた無線ネットワークに接続されてもよい。一つの例示的な実施例において、通信部材８１６は、放送チャンネルを介して外部の放送管理システムからの放送信号、又は放送に関連する情報を受信する。一つの例示的な実施例において、前記通信部材８１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  Ｉｄｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  ＷｉｄｅＢａｎｄ）技術、ＢＴ（Ｂｌｕｅｔｏｏｔｈ（登録商標））技術、他の技術に基づいて実現できる。
【０１７９】
例示的な実施例において、装置８００は、一つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、または他の電子部品によって実現されるものであり、上記方法を実行する。
【０１８０】
例示的な実施例において、さらに、命令を含むコンピュータ読取り可能な非一時的な記録媒体、例えば命令を含むメモリ８０４を提供しており、装置８００のプロセッサ８１８により上記命令を実行して上記方法を実現する。例えば、前記コンピュータ読取り可能な非一時的な記録媒体は、ＲＯＭ、ＲＡＭ、ＣＤ−ＲＯＭ、磁気テープ、フロッピー（登録商標）ディスク、光データ記憶デバイス等である。
【０１８１】
当業者は明細書を検討し、ここで開示した発明を実践した後、本発明のその他の実施方案を容易に思いつくことができる。本願は本発明の全ての変更、用途又は適応性の変化を含む。これらの変更、用途又は適応性の変化は本発明の一般的な原理に従っており、本発明に未開示の本技術分野における周知技術又は慣用技術手段を含む。明細書及び実施例は例示的なものに過ぎず、本発明の真の範囲及び主旨は以下の特許請求の範囲によって示される。
【０１８２】
本発明は、上記で説明した、また図面において示した寸分違わぬ構成に限定されず、その範囲を逸脱しない前提のもとで種々の変更及び修正を行うことができることを理解すべきである。本発明の範囲は付された特許請求の範囲によってのみ限定される。
【０１８３】
本願は、出願番号がＣＮ２０１５１０７１９３３９．１であって、出願日が２０１５年１０月２９日である中国特許出願に基づき優先権を主張し、当該中国特許出願のすべての内容を本願に援用する。
【図１Ａ】
0006364130.tif 000002
【図１Ｂ】
0006364130.tif 000003
【図１Ｃ】
0006364130.tif 000004
【図１Ｄ】
0006364130.tif 000005
【図２】
0006364130.tif 000006
【図３】
0006364130.tif 000007
【図４】
0006364130.tif 000008
【図５】
0006364130.tif 000009
【図６】
0006364130.tif 000010
【図７】
0006364130.tif 000011
【図８】
0006364130.tif 000012